(57)【特許請求の範囲】
【請求項１】
ある直径を有して血管内に挿入すべきカテーテル（１）と、膨張可能な構成部品（６）とを備える脈動医療用デバイスにおいて、
前記カテーテル（１）は、
ロッドを備え、部分Ａと称される、一挿入端部、及び
前記部分Ａと対向する、部分Ｃと称される、一端部を備え、
前記膨張可能な構成部品（６）は、前記カテーテル（１）の、前記部分Ａと前記部分Ｃの間に位置している、部分Ｂと称される部分の周りに収容され、前記膨張可能な構成部品をパルス方式で膨張させ／収縮させることができるように、前記部分Ｃのところに配置される膨張手段（９）に接続するように設計され、
前記カテーテル（１）の部分Ｂの直径が、前記カテーテル（１）の部分Ａ及びＣの直径より小さく、前記カテーテル（１）の部分Ａ及びＣの直径が実質的に等しくなるように、前記部分Ｂは、前記カテーテルの外壁に凹部（５）を有すること、及び前記膨張可能な構成部分（６）が前記凹部（５）に配置されることを特徴とする、脈動医療用デバイス。
【請求項２】
前記カテーテル（１）の部分Ｂに前記収縮した膨張可能な構成部品（６）を加えた直径が、前記カテーテル（１）の部分Ａ及びＣの直径より小さいか又は直径に等しいことを特徴とする、請求項１に記載の脈動医療用デバイス。
【請求項３】
前記膨張可能な構成部品（６）がバルーンであることを特徴とする、請求項１又は２に記載の脈動医療用デバイス。
【請求項４】
前記膨張可能な構成部品（６）が、生体適合性放射線不透過性材料から形成されることを特徴とする、請求項１、２又は３に記載の脈動医療用デバイス。
【請求項５】
前記材料がポリウレタンであることを特徴とする、請求項４に記載の脈動医療用デバイス。
【請求項６】
前記カテーテル（１）の直径が、数ミリメートル以下であることを特徴とする、請求項１から５までのいずれか一項に記載の脈動医療用デバイス。
【請求項７】
前記膨張可能な構成部品（６）の寸法が、長さが０．１ｃｍと２ｃｍの間であり体積が０．１ｃｍ３と２ｃｍ３の間であることを特徴とする、請求項１から６までのいずれか一項に記載の脈動医療用デバイス。
【請求項８】
−流体（１１）で満たすのに適したバッグ（１０）と、
−前記バッグ（１０）を脈動方式で圧縮するのに適したバッグ圧縮手段（１４）と、
−前記膨張可能な構成部品（６）と前記バッグ（１０）の間の前記流体（１１）の循環を可能にするように、前記バッグ（１０）を前記カテーテルの前記膨張可能な構成部品（６）に接続する接続手段（８）とを備える、請求項１から７までのいずれか一項に記載の脈動医療用デバイスと、膨張手段（９）とを備える、脈動医療用アセンブリ。
【請求項９】
前記バッグ圧縮手段（１４）が電気機械的に制御される（１５）ことを特徴とする、請求項８に記載の脈動医療用アセンブリ。
【請求項１０】
前記脈動デバイス及び前記膨張手段が一体であることを特徴とする、請求項８又は９に記載の脈動医療用アセンブリ。
【発明の詳細な説明】
【技術分野】
【０００１】
本発明は新規な脈動医療用デバイスに関する。
【背景技術】
【０００２】
概念上、心臓血管系は、内部を上皮細胞で覆われた圧力の掛かった閉水圧回路である。これらの上皮細胞の機能は、血管内に圧力変動を誘起し、その結果これらの細胞の剪断を誘起させ、細胞を刺激する心臓の脈動によって調節される。これらの接線方向の剪断応力は、一酸化窒素合成（ＮＯＳ）による血管の緊張力、血液凝固、炎症反応、免疫性、アテローム性動脈硬化症、血管形成及び細胞消滅を含む内皮機能を維持するために不可欠である。この内皮機能は、それが胚形成、形態形成、器官形成及び健康な身体維持を制御するので、非常に重要である。
【０００３】
例えば、疾患又は外科手術などのこの回路に対するどのような干渉も、潜在的に劇的な結果を伴う内皮の機能障害を誘起する。
【０００４】
循環補助の分野では、多数の脈動デバイスが現在使用されている。これらの脈動デバイスのうちで、その使用の容易さ及びその安価さのために最も多く使用されているのは大動脈内バルーン・ポンプ（ＩＡＢＰ）である。
【０００５】
米国特許出願公開第２００１／００３１９０７号は、
ある直径を有し、その挿入端部にロッドを備える、血管内に挿入されるべきカテーテルと、
膨張させられるとき、冠状動脈内で心臓拡張圧力を増加させる、カテーテルの一部分の周りに収容される膨張可能な構成部品であって、前記膨張可能な構成部品がパルス方式で膨張又は収縮させられるように、前記カテーテルのもう１つの端部のところに配置される、膨張手段に接続するように設計される、膨張可能な構成部品とを備える脈動血液循環補助デバイスを開示する。
【０００６】
今のところ、上記で述べた型式の膨張可能な構成部品カテーテル又はバルーンを患者の血管内に挿入することが必要なとき、ガイド型式と逆流防止式止血弁からなる挿入デバイスが使用される。このガイド・チューブの挿入は、それに続いて前記ガイド・チューブの内側にバルーン・カテーテルを挿入するのに十分な直径を有する開口部を作り出し、一方挿入点に位置決めされるこの弁は、挿入デバイスを介した血液の流れを減少させ、停止させるのを可能にする。
【０００７】
従来技術によるバルーン・カテーテルに伴う欠点は、例えば一定の時間、又は小さな直径の（すなわち数ミリメートル以下範囲の）カテーテルのためにバルーン・カテーテルを所定の位置に残しておくのが必要なときの場合のように、前記バルーン・カテーテルを血管内に挿入デバイスを介してではなく直接挿入することが必要な場合、血液が流れるリスクが無視できないことである。実際、バルーン・カテーテルの直接挿入中、最初はこのカテーテルの直径と等しい挿入点の直径が、バルーンによって取り囲まれるカテーテルの部分の通過の後に拡大される。それに続いて、バルーンを治療すべき区域内に位置決めできるようにカテーテルがより深く挿入されるとき、このカテーテルの直径は挿入点の直径より小さくなり、したがって血液が流れるリスクが生じる。
【先行技術文献】
【特許文献】
【０００８】
【特許文献１】米国特許出願公開第２００１／００３１９０７号
【発明の概要】
【課題を解決するための手段】
【０００９】
したがって本発明は、
ある直径を有し、部分Ａと称されるその挿入端部にロッドを備える、血管内に挿入すべきカテーテルと、
このカテーテルの部分Ｂと称される部分の周りに収容される膨張可能な構成部品であって、前記膨張可能な構成部品をパルス方式で膨張させ／収縮させるように、前記カテーテルの、部分Ｃと称されるもう１つの端部のところに位置決めされる膨張手段に接続するように設計される膨張可能な構成部品とを備え、
このカテーテルの部分Ｂの直径がこのカテーテルの部分Ａ及びＣの直径より小さく、前記カテーテルの部分Ａ及びＣの直径が実質的に等しいことを特徴とする、脈動医療用デバイスを使用してこの問題点に対処する。
【００１０】
このカテーテルの部分Ｂの直径を小さくすることによって、このカテーテルの部分Ｂに膨張可能な構成部品を加えた全体の直径を従来技術によるカテーテルの直径に対して小さくすることが可能になる。患者の血管内へのカテーテルの挿入の後で、カテーテルの一部の直径が著しく大きくなるための前記挿入点の過剰な拡大は起きない。
【００１１】
本発明の具体的な一実施例では、このカテーテルの部分Ｂに収縮した膨張可能な構成部品を加えた直径は、このカテーテルの部分Ａ及びＣの直径より小さいか又は等しい。この実施例では、カテーテルの挿入は挿入点のどのような拡大も生じさせず、これはより有利である。
【００１２】
具体的な一実施例では、この膨張可能な構成部品はバルーンである。
【００１３】
この膨張可能な構成部品は、生体適合性放射線不透過性材料から形成されるのが好ましい。したがって、前記膨張可能な構成部品の血管内への挿入は、どのような感染症や他の損傷も生じさせず、Ｘ線写真術を使用して容易に視ることができる。
【００１４】
具体的な一実施例では、前記材料はポリウレタンであり、特にこの材料は有利な有機材料のうちの一実例である。
【００１５】
本発明の具体的な一実施例では、このカテーテルの直径は、数ミリメートル以下である。これらの寸法は、小児科（ｐａｅｄｉａｔｒｉｃ）で及びいくつかの小さな血管に到達するように成人にも使用される小さなカテーテルに対応する。しかし、ガイド・チューブなしのその使用が必要とされるときのバルーン・カテーテルの直径を変動させる、本発明によって対処されるこの問題点は、小さな直径のカテーテルの場合、極めて大きくなる。実際、これらの小さなカテーテルに対するバルーンの厚さは、より大きな直径のカテーテルに対して、その直径が比例的に、顕著により大きくなることを意味する。
【００１６】
本発明の具体的な一実施例では、この膨張可能な構成部品の寸法は、長さが０．１ｃｍと２ｃｍの間であり体積が０．１ｃｍ３と２ｃｍ３の間である。
【００１７】
本発明は、
流体で満たすのに適したバッグと、
前記バッグを脈動方式で圧縮するのに適したバッグ圧縮手段と、
前記膨張可能な構成部品と前記バッグの間の流体の循環を可能にするように、前記バッグをカテーテルの前記膨張可能な構成部品に接続する接続手段とを備える、上記で述べたような脈動デバイスと、膨張手段とを備える脈動医療用アセンブリにも関する。
【００１８】
この脈動医療用アセンブリは、使用が簡単であり安価である。さらにそれは、そのコンパクトなサイズのために持ち運び可能である。バッグ圧縮手段は手動にすることができ、プレートによって具体化することができ、この場合プレートの平行移動又は回転、又は２つのプレートのうちの一つが、静止しているもう１つのプレートに向かう平行移動を使用してバッグを圧縮することができ、或いはバッグが収容される区画によって具現化することができる。
【００１９】
この脈動医療用アセンブリの具体的な一実施例では、このバッグ圧縮手段は電気機械的に制御される。
【００２０】
この脈動医療用アセンブリの具体的な一実施例では、この脈動デバイス及び膨張手段は一体である。
【００２１】
次に本発明の一実施例を、添付の図を参照して説明する。
【図面の簡単な説明】
【００２２】
【図１】バルーンが収縮しているときの、本発明による脈動デバイスの長手方向断面図である。
【図２】バルーンが膨張しているときの、本発明による脈動デバイスの長手方向断面図である。
【図３】膨張手段の具体的な一実施例に接続された、本発明による脈動デバイスの長手方向断面図である。
【発明を実施するための形態】
【００２３】
図１、２及び３に示す本発明による脈動デバイスは、中空チューブであり、３つの連続する部分Ａ、Ｂ及びＣを有するカテーテル１からなる。ロッドとも称される部分Ａは、患者の血管内に挿入されるべき最初の部分である。前記カテーテル１は、外壁２と２つの端部３（部分Ａ側）及び４（部分Ｃ側）とを有する。カテーテル１の部分Ｂは、外壁２内に凹部５を有する。この凹部５は、長さＢに沿って走り、カテーテル１の円周全体に存在する。この凹部５が存在するために、カテーテル１の部分Ａ及びＣは実質的に同じ直径を有し、部分Ｂはより小さな直径を有する。膨張可能なバルーン６は、従来技術でのように、すなわち例えばカテーテル１の凹部５内に接着させることによって配置される。この凹部５は、収縮したバルーンが取り付けられたカテーテルの部分Ｂの直径が部分Ａ及びＣの直径と実質的に等しくなるような形状である。カテーテル１の内側に、金属の案内部７が挿入される。カテーテル１の壁内に一体化される流体接続ポート８が、膨張可能なバルーン６と図１及び２で端部４のところに概略的に示す膨張手段９に接合し、前記膨張手段は、例えば操作卓である。
【００２４】
図１では、このバルーン６は収縮しており、このために、収縮させられたバルーン６を有するカテーテル１の部分Ｂの直径は、カテーテル１の部分Ａ及びＣの直径と実質的に等しい。
【００２５】
図２では、このバルーン６は膨張しており、膨張したバルーン６を有するカテーテル１の部分Ｂの直径は、カテーテル１の部分Ａ及びＣの直径より大きい。
【００２６】
次に本発明による脈動デバイスの挿入について説明する。患者の血管のうちの一つが針で刺され、開口部又は挿入点が作り出される。次いで金属案内部７が嵌合される。次いでカテーテル１が、案内部７を使用して前記開口部を介して挿入される。カテーテル１の部分Ａ、Ｂ及びＣは、連続してこの開口部を通過し、上記で述べたように、部分Ａ及びＣと収縮したバルーン６が取り付けられた部分Ｂとが実質的に同じ直径を有するので、前記開口部のどのような拡大も生じさせない。カテーテル１が所定の位置に存在した後、すなわちバルーン６が治療すべき血管の区域を占有した後、次いで前記挿入点はカテーテルの部分Ｃによって完全に充填され、したがって、血液の流れは減少又は停止させられる。
【００２７】
図３は、膨張手段９の具体的な一実施例に接続される、図２のカテーテル１を示す。
【００２８】
前記膨張手段９は、
流体１１で充填され、一端のところで流体接続ポート８に、他端のところで逆流防止式弁１２に接続されるバッグ１０を含む第１の部分と、
バッグ圧縮区画１４と例えば電気機械的な手段による前記圧縮区画１４の制御部１５とを備える、前記バッグ１０の圧縮手段１３を含む第２の部分とを有する。このバッグ圧縮区画は、２つの長い側面Ｃ１と２つの短い側面のうちの一つＣ２が開口するほぼ長方形の形状で概略的に示されており、一方第２の短い側面Ｃ３は、三角形で概略図に示す電気機械的な制御部１５に接続されている。したがって、この圧縮区画１４は凹部１６を有する。
【００２９】
本発明によるカテーテル１は、上記で説明したように患者の血管内に挿入される。患者の身体から突出する流体接続ポート８の端部は、バッグ１０に接続される。次いでバッグ１０は、弁１２を開口する（この動作は、バッグ１０への流体接続ポート８の接続に先立って行うことができる）ことによって（ヘリウム、２酸化炭素、生理的食塩水であり得る）流体１１で充填される。次いでこのバッグ１０は、電気機械的な制御部１５によって制御される圧縮区画１４の凹部１６内に挿入される。前記電気機械的な制御部１５によって受け取られる命令に従って、バッグ１０の圧縮／減圧速度が正確に決定され、この速度は場合によっては例えば毎分１０から３００の圧縮である。バッグ１０の圧縮は、膨張させられるバルーン６へ向かう流体１１の流れを生じさせ、バッグ１０の減圧は、バルーンを収縮させるバルーン６からバッグ１０への流体１１の吸い込みを生じさせる。したがって、流体の脈動移動は、バッグ１０からバルーン６に伝達される。したがって、（図３に記載するような）このカテーテル−バルーン膨張手段アセンブリは、持ち運び可能な脈動医療用アセンブリを形成する。実際、バッグ１０と、バッグ圧縮区画１４と、電気機械的な制御部１５とを備えるこの膨張手段は、旅行しているとき患者によって容易に持ち運び可能であり、患者に移動可能性を与える。
【００３０】
この膨張手段はコストが低く、使用が簡単である。実際、圧縮／減圧は、従来技術による大動脈内バルーンとは違って高価な圧力源を必要としない。
【００３１】
本発明によるこの脈動デバイスは小さな直径のカテーテルに適用できるので、現在は使用可能ではない小さな脈動カテーテルが使用可能になる。これらの小さな脈動カテーテルは、多数の用途に使用することができる。
【００３２】
実際本発明者は、血管内に挿入されたこのバルーンを膨張させることが、血管壁の剪断強度を増加させることを思いがけなく発見した。
【００３３】
したがって、これらの小さな脈動カテーテルは、（最も小さなカテーテル直径によって動脈の閉塞区域に到達するのが可能になり、このバルーンの脈動移動によって前記区域の穏やかな治療が可能になる）閉塞した冠状動脈の治療のためのみならず、へその緒でつながれた血管を介した起こり得る胎児の先天性異常の治療のためにも使用できる可能性がある。（例えば、回復をスピードアップするために、年配の人の骨折の場合に血管形成を増加させる）血管形成−細胞消滅相互依存、（冠状動脈、脳、腎臓の）アテローム性動脈硬化症、免疫システム、心臓発生、（例えば、浸透性の又は急性の、及び中でも慢性肺疾患動脈高血圧症の治療のための）一酸化窒素分泌におけるなどの多数の他の用途を予想することができる。
【図１−２】
0005698653.tif 000002
【図３】
0005698653.tif 000003